(57)【要約】【課題】電波伝搬路を送信の際と受信の際とで常に等化とみなすことができるようにする。【解決手段】無線通信装置３０は送信アンテナ２０によって送信信号を送信する送信機部１０ｂと、受信アンテナ１１によって受信信号を受信する受信機部１０ａとを有しており、受信機部は受信信号に基づいて遅延タップ係数を求める遅延タップ係数推定部１３、遅延タップ係数に応じて受信信号を等化して受信等化信号を得る受信等化器１４と、受信等化信号の振幅位相特性に応じて受信等化信号を補正する時系列振幅位相補正器１５とを有し、送信機部は時系列遅延タップ係数に応じて送信入力信号を等化処理する送信等化器３２を有している。時系列遅延タップ係数推定部３１は遅延タップ係数と振幅位相特性とに基づいて時系列タップを生成して送信等化器に与える。【選択図】図１
2007124412.tif 000002
【特許請求の範囲】
【請求項１】
送信アンテナによって送信信号を送信する送信機部と、受信アンテナによって受信信号を受信する受信機部とを有する無線通信装置において、
前記受信機部は前記受信信号を等化して受信等化信号を得る受信等化手段と、前記受信等化信号の特性に応じて該受信等化信号を補正する補正手段とを有し、
前記送信機部は送信重み係数に応じて送信入力信号を等化処理する送信等化手段と、
前記受信等化信号の特性に基づいて前記送信重み係数を生成する送信重み係数生成手段と、
を有することを特徴とする無線通信装置。
【請求項２】
前記送信重み係数生成手段は送信と受信との時間差及び前記受信等化信号の特性に基づいて送信特性を得る送信特性予測手段を有し、
前記送信特性に基づいて前記送信重み係数を生成することを特徴とする請求項１記載の無線通信装置。
【請求項３】
前記送信アンテナ及び前記受信アンテナはそれぞれ複数のアンテナ素子を有するアレーアンテナであり、
前記受信等化手段は前記アンテナ素子毎に前記受信信号を等化処理して前記アンテナ素子に対応する数の受信等化信号を得ており、
前記受信機部はさらに複数の前記受信等化信号に応じて受信等化信号毎の重み係数をアンテナ係数として得るアンテナ係数推定手段と、該アンテナ係数と前記受信等化信号とをそれぞれ乗算した後合成して合成等化信号とする検波手段とを有し、
前記補正手段には前記受信等化信号の代りに前記合成等化信号が与えられ、
前記送信重み係数生成手段は前記受信等化信号の特性と前記アンテナ係数とに基づいて前記送信重み係数を生成するようにしたことを特徴とする請求項１記載の無線通信装置。
【請求項４】
送信アンテナを用いて送信信号を送信するとともに受信アンテナを用いて受信信号を受信する際に用いられる信号処理方法であって、
前記受信信号を等化して受信等化信号を得る受信等化ステップと、
受信等化信号の特性に応じて該受信等化信号を補正する補正ステップと、
前記受信等化信号の特性に基づいて前記送信重み係数を生成する送信重み係数生成ステップと、
前記送信重み係数に応じて送信入力信号を等化処理する送信等化ステップとを有することを特徴とする信号処理方法。
【請求項５】
前記送信重み係数生成ステップは送信と受信との時間差及び前記受信等化信号の特性に基づいて送信特性を得る送信特性予測ステップと、
前記送信特性に基づいて前記送信重み係数を生成するステップとを有することを特徴とする請求項４記載の信号処理方法。
【請求項６】
前記送信アンテナ及び前記受信アンテナはそれぞれ複数のアンテナ素子を有するアレーアンテナであり、
前記受信等化ステップでは前記アンテナ素子毎に前記受信信号を等化処理して前記アンテナ素子に対応する数の受信等化信号を得ており、
さらに複数の前記受信等化信号に応じて受信等化信号毎の重み係数をアンテナ係数として得るアンテナ係数推定ステップと、
該アンテナ係数と前記受信等化信号とをそれぞれ乗算した後合成して合成受信等化信号とする検波ステップとを有し、
前記送信重み係数生成ステップでは前記受信等化信号の特性と前記アンテナ係数とに基づいて前記送信重み係数を生成するようにしたことを特徴とする請求項４記載の信号処理方法。
【発明の詳細な説明】
【技術分野】
【０００１】
本発明は、符号間干渉及び干渉波の影響を低減して通信を行う無線通信装置及びその信号処理方法に関するものである。
【背景技術】
【０００２】
一般に、無線通信装置として、希望波と同一の周波数（チャネル）の干渉波（妨害波）、つまり、同一チャネル干渉を除去するとともに、時間軸上での信号処理によって希望波ではあるが時間的に遅れてくる遅延波の除去、つまり、符号間干渉の除去を行うようにしたものが知られている。図５は従来の無線通信装置を示すブロック図であり、図５において、無線通信装置１０は受信機部１０ａ及び送信機部１０ｂを有しており、受信機部１０ａ受信アンテナ１１、受信アンテナ１１に接続された復調器１２、遅延タップ係数推定部１３、受信等化器１４、時系列振幅位相補正器１５、及び復号器１６を備えている。一方、送信機部１０ｂは符号器１７、送信等化器１８、変調器１９、及び送信アンテナ２０を備えている。
【０００３】
図示の無線通信装置１０では、受信アンテナ１１で受信された受信信号は復調器１２で復調されて、復調信号（ベースバンド信号）として、遅延タップ係数推定部１３及び受信等化器１４に与えられる。そして、遅延タップ係数推定部１３では復調信号に応じて遅延タップ係数を求め、この遅延タップ係数を受信等化器１４に与える。受信等化器１４では遅延タップ係数によって復調信号を等化処理して、受信等化信号として時系列振幅位相補正器１５に与える。
【０００４】
ここで、電波伝搬路ではマルチパスフェージング等によって不可避的に符号間干渉が生じるとともに干渉波の影響を受けており、遅延タップ係数推定部１３では、例えば既知の参照信号（トレーニング信号）と復調信号（つまり、受信信号）との相関関係に応じて遅延タップ係数を推定しており、受信等化器１４ではこの遅延タップ係数を順次積算して等化処理を行い、復調信号、つまり、受信信号における符号間干渉及び干渉波を除去している。
【０００５】
時系列振幅位相補正器１５は、電波伝搬路の影響によって刻々と変動する振幅・位相を、受信等化信号（つまり、受信信号）とトレーニング信号との相関関係に基づいて線形的（非線形でもよい）に予測して、その変化量を補正量として受信等化信号に加え、受信誤りを低減する。時系列振幅位相補正器１５の出力（振幅補正済み信号）は復号器１６に与えられて、ここで復号されて受信データ列として出力される。
【０００６】
送信機部１０ｂにおいては、送信データ列が符号器１７に与えられ、ここで符号化されて符号化信号とされる。そして、符号化信号は送信等化器１８に与えられる。送信等化器１８は受信等化器１４と同数の遅延タップを有しており、遅延タップ係数推定部１３から与えられる遅延タップ係数を符号化信号に内積して等化処理を行い、送信等化信号として変調器１９に与え、変調器１９は送信等化信号を変調して送信信号として送信アンテナ２０から送信する。
【０００７】
一方、受信機において、遅延回路によって重み係数を求めて、この重み係数に応じて干渉除去回路が送信機から送信された送信信号（つまり、受信信号）から干渉波を除去するようにしたものがある（特許文献１参照）。
【特許文献１】特開平９−５１３２０号公報（第４頁〜第７頁、第１図〜第４図）。
【発明の開示】
【発明が解決しようとする課題】
【０００８】
ところで、無線通信装置が車両等の移動局に搭載され、移動局と基地局との間で無線通信を行う際、移動局が高速で移動すると、受信時と送信時とにおいて電波伝搬路の環境が大きく変化してしまうことがある。一方、従来の無線通信装置においては、受信の際に生成された遅延タップ係数を用いて送信等化器で等化処理を行っているから、受信時と送信時とにおいて電波伝搬路の環境が変化しない場合にあっては、電波伝搬路が送信の際と受信の際とで等しいとみなすことができるものの、前述のように、移動局が高速で移動する等受信時と送信時とにおいて電波伝搬路の環境が大きく変化してしまうと、電波伝搬路が送信の際と受信の際とで等しいとみなすことができず、電波伝搬環境の影響に起因した不要な干渉が起き、受信側と送信側とにおいて信号受信誤りに差が生じてしまう。この結果、互いに通信を行う無線通信装置間において、一方の無線通信装置では他方の無線通信装置から送信された送信信号を受信できるが、他方の無線通信装置では一方の無線通信装置から送信された送信信号を受信できない事態に陥ってしまうと課題がある。
【０００９】
本発明の目的は、電波伝搬路を送信の際と受信の際とで常に等しいとみなすことのできる無線通信装置及びその信号処理方法を提供することにある。
【課題を解決するための手段】
【００１０】
本発明によれば、送信アンテナによって送信信号を送信する送信機部と、受信アンテナによって受信信号を受信する受信機部とを有する無線通信装置において、前記受信機部は前記受信信号を等化して受信等化信号を得る受信等化手段と、前記受信等化信号の特性に応じて該受信等化信号を補正する補正手段とを有し、前記送信機部は送信重み係数に応じて送信入力信号を等化処理する送信等化手段と、前記受信等化信号の特性に基づいて前記送信重み係数を生成する送信重み係数生成手段と、を有することを特徴とする無線通信装置が得られる。
【００１１】
また本発明は、前記送信重み係数生成手段は送信と受信との時間差及び前記受信等化信号の特性に基づいて送信特性を得る送信特性予測手段を有し、前記送信特性に基づいて前記送信重み係数を生成することを特徴とする。
【００１２】
また本発明は、前記送信アンテナ及び前記受信アンテナはそれぞれ複数のアンテナ素子を有するアレーアンテナであり、前記受信等化手段は前記アンテナ素子毎に前記受信信号を等化処理して前記アンテナ素子に対応する数の受信等化信号を得ており、前記受信機部はさらに複数の前記受信等化信号に応じて受信等化信号毎の重み係数をアンテナ係数として得るアンテナ係数推定手段と、該アンテナ係数と前記受信等化信号とをそれぞれ乗算した後合成して合成等化信号とする検波手段とを有し、前記補正手段には前記受信等化信号の代りに前記合成等化信号が与えられ、前記送信重み係数生成手段は前記受信等化信号の特性と前記アンテナ係数とに基づいて前記送信重み係数を生成するようにしたことを特徴とする。
【００１３】
また本発明は、送信アンテナを用いて送信信号を送信するとともに受信アンテナを用いて受信信号を受信する際に用いられる信号処理方法であって、前記受信信号を等化して受信等化信号を得る受信等化ステップと、受信等化信号の特性に応じて該受信等化信号を補正する補正ステップと、前記受信等化信号の特性に基づいて前記送信重み係数を生成する送信重み係数生成ステップと、前記送信重み係数に応じて送信入力信号を等化処理する送信等化ステップとを有することを特徴とする信号処理方法である。
【００１４】
また本発明は、前記送信重み係数生成ステップは送信と受信との時間差及び前記受信等化信号の特性に基づいて送信特性を得る送信特性予測ステップと、前記送信特性に基づいて前記送信重み係数を生成するステップとを有することを特徴とする。
【００１５】
また本発明は、前記送信アンテナ及び前記受信アンテナはそれぞれ複数のアンテナ素子を有するアレーアンテナであり、前記受信等化ステップでは前記アンテナ素子毎に前記受信信号を等化処理して前記アンテナ素子に対応する数の受信等化信号を得ており、さらに複数の前記受信等化信号に応じて受信等化信号毎の重み係数をアンテナ係数として得るアンテナ係数推定ステップと、該アンテナ係数と前記受信等化信号とをそれぞれ乗算した後合成して合成受信等化信号とする検波ステップとを有し、前記送信重み係数生成ステップでは前記受信等化信号の特性と前記アンテナ係数とに基づいて前記送信重み係数を生成するようにしたことを特徴とする。
【発明の効果】
【００１６】
以上のように、本発明では、遅延タップ係数と受信等化信号の特性とに基づいて送信重み係数を生成してこの送信重み係数に応じて送信入力信号を等化処理するようにしているので、電波伝搬路を送信の際と受信の際とで等しいとみなすことができ、電波伝搬環境の影響に起因して不要に干渉が惹起され、受信側と送信側とにおいて信号受信誤りに差が生じることがないという効果がある。
【００１７】
また、本発明では、複数のアンテナ素子を有するアレーアンテナを用いて、遅延タップ係数及び振幅位相特性とアンテナ係数とに基づいて送信重み係数を生成するようにしたので、送受信の際における誤りをさらに低下させることができるという効果がある。
【発明を実施するための最良の形態】
【００１８】
次に図面を参照して本発明の実施の形態について説明する。図１は本発明の実施の形態による無線通信装置３０の一例を示すブロック図であり、図１に示す無線通信装置３０において、図５に示す無線通信装置１０と同一の構成要素については同一の参照番号を付す。
【００１９】
図１において、無線通信装置３０は受信機部１０ａ及び送信機部１０ｂを備えるとともに、送信機部１０ｂが新たに時系列遅延タップ係数推定部３１を有している。受信アンテナ１１で受信された受信信号は復調器１２で復調されて、復調信号として、遅延タップ係数推定部（タップ係数推定手段）１３及び受信等化器（受信等化手段）１４に与えられる。そして、遅延タップ係数推定部１３では、例えば、復調信号（つまり、受信信号）を時系列の信号成分に分割して、適応アルゴリズムであるＬＭＳ（Ｌｅａｓｔ  Ｍｅａｎ  Ｓｑｕａｒｅ）で代表される最小二乗誤差法等を用いて遅延タップ係数を求める。
【００２０】
受信等化器１４では遅延タップ係数によって復調信号を等化処理して、つまり、復調信号を遅延線フィルタにかけて干渉成分（符号間干渉及び干渉波）を除去して受信等化信号として時系列振幅位相補正器１５に与える。時系列振幅位相補正器１５は、受信等化信号（つまり、受信信号）とトレーニング信号との相関関係に基づいて受信等化信号における振幅・位相｛振幅位相特性（振幅位相時係数ともいう）：受信等化信号の特性｝を、例えば、畳み込み演算を用いて予測し、その変化量を補正量として受信等化信号に加え受信誤りを低減する。ここで畳み込み演算は、トレーニング信号と受信信号の畳み込み演算をシンボル単位で行う。なお、畳み込みした信号は、平方根（実部の２乗＋虚部の２乗）が振幅を表し、ａｒｃｔａｎ（実部／虚部）が偏角（位相）を表す。なおここで求めた振幅や位相がシンボル単位で変動する場合、信号を復元できないので、変動を抑える方向、逆数を受信信号に乗算することで、振幅や位相の変動を抑えることができる。時系列振幅位相補正器１５の出力（振幅補正済み信号）は復号器１６に与えられて、ここで復号されて受信データ列として出力される。
【００２１】
前述したように、送信機部１０ｂにおいては、送信データ列が符号器１７に与えられ、ここで符号化されて符号化信号（送信入力信号）とされる。そして、符号化信号は送信等化器（送信等化手段）３２に与えられる。ここで、図２を参照して、送信等化器３２は、第１乃至第Ｎ（Ｎは２以上の整数）の遅延素子３３−１乃至３３−Ｎ、第０乃至第Ｎの乗算器３４−０乃至３４−Ｎ、及び加算器３５を有している（図２に示す例では、Ｎ＝４である）。そして、符号器１７からの符号化信号が第１の遅延素子３３−１に与えられて、予め規定された遅延時間τだけ遅延されて、第１の遅延信号とされる。以下同様にして、第ｎの遅延素子３３−ｎは第（ｎ−１）の遅延信号を受けて予め規定された遅延時間τだけ第（ｎ−１）の遅延信号を遅延させて、第ｎの遅延信号を出力する（ここで、ｎは２からＮまでのいずれかの整数である）。
【００２２】
時系列遅延タップ係数推定部（送信重み係数生成手段）３１は遅延タップ係数推定部１３から遅延タップ係数を受けるとともに、時系列振幅位相補正器１５から振幅位相係数（以下この振幅位相時係数を受信振幅位相時係数と呼ぶ）を受けて、後述するようにして、送信時系列遅延タップ係数（第０乃至第Ｎの送信時系列遅延タップ係数）を出力して、第０乃至第Ｎの乗算器３４−０乃至３４−Ｎに与える。一方、符号化信号及び第１乃至第（Ｎ−１）の遅延信号がそれぞれ第０乃至第Ｎの乗算器３４−０乃至３４−Ｎに与えられて、第０乃至第Ｎの乗算器３４−０乃至３４−Ｎでは、符号化信号及び第１乃至第（Ｎ−１）の遅延信号と第０乃至第Ｎの送信時系列遅延タップ係数とをそれぞれ乗算して、第０乃至第Ｎの乗算信号として加算器３５に与える。そして、加算器３５では第０乃至第Ｎの乗算信号を加算して、送信等化信号とする。
【００２３】
図３は時系列遅延タップ係数推定部の動作を説明するためのフローチャートである。
次に図３を参照して、時系列遅延タップ係数推定部の動作を説明する。
時系列遅延タップ係数推定部３１では、まず、遅延タップ係数推定部１３で生成された遅延タップ係数を保持した後（受信等化器の遅延タップ係数を保持：ステップＳ１）、時系列振幅位相補正器１５の受信振幅位相時係数を保持する（ステップＳ２）。そして、時系列遅延タップ係数推定部３１は、受信振幅位相時係数を参照して受信と送信との時間差に応じて送信時における振幅位相時係数を線形予測して、送信振幅位相時係数を求める（送信特性予測手段：ステップＳ３）。
【００２４】
続いて、時系列遅延タップ係数推定部３１は遅延タップ係数と送信振幅位相時係数とを内積して時系列遅延タップ係数（送信重み係数）とする（ステップＳ４）。その後、図２には示されていないが、送信データが存在するか否か（送信データ＝ＮＵＬＬ）が判定されて（ステップＳ５）、送信データがあると、次のサンプリングが行われ（ステップＳ６）、時系列遅延タップ係数推定部３１においては、ステップＳ４の処理が再び行われる。一方、送信データ＝ＮＵＬＬであると、時系列遅延タップ係数推定部３１における処理は終了する。
【００２５】
再び第２を参照して、送信等化器３２から送出された送信等化信号は変調器１９に与えられて、ここで変調が行われて、送信アンテナ２０から送信信号として送信される。
【００２６】
このようにして、送信等化器３２では遅延タップ毎（遅延時間τは、例えば、１シンボル以下である）に符号化信号（及び遅延信号）と時系列遅延タップ係数とを積算して、全遅延タップに関して積算結果の和を取って、その加算結果を１シンボルとして変調器１９に与えるようにしている。
【００２７】
上述の処理により、受信器において等化した係数を用いて送信機において信号に乗算して送信すると、通信路等化となる信号が送信でき、これにより所望する端末に向けて等化された信号が送信され、送信時の誤りも軽減することができる。そして、受信の際の遅延タップ係数及び受信位相振幅時係数に基づいて送信等化器の重み係数を求めるようにしているので、電波伝搬路を送信の際と受信の際とで常に等しいとみなすことができる。つまり、移動局の高速移動によって電波伝搬環境が頻繁に変化しても、受信側及び送信側における電波伝搬環境を正確に近似でき、受信側及び送信側ともにマルチパスフェージングにおける符号間干渉及び干渉波の影響を十分に抑圧することができるという効果がある。
【００２８】
そして、一方の無線通信装置では他方の無線通信装置から送信された送信信号を受信できるが、他方の無線通信装置では一方の無線通信装置から送信された送信信号を受信できないという事態を確実に回避することができる。その結果、受信誤りに起因するデータ再送処理が減少し、周波数の有効利用に資することができる。
【００２９】
図４は受信部１０ａが複数のアンテナ素子４１−１乃至４１−Ｋ（Ｋは２以上の整数であり、図示の例ではＫ＝２である）を備える受信アレーアンテナ４１を有し、送信部１０ｂが複数のアンテナ素子４２−１乃至４２−Ｋを備える送信アレーアンテナ４２を有する無線通信装置４０の一例を示すブロック図である。図４において、図１と同一の構成要素については同一の参照番号を付し、説明を省略する。
【００３０】
図４は無線通信装置の機能ブロックを示す第の図である。
次に図４を用いて、アンテナがＫ本の場合の例を示す。図４において、別の無線通信装置（図示せず、無線通信装置４０と同一の構成を有している）から送信された送信信号が受信信号として受信アレーアンテナ４１で受信され、アンテナ素子４１−１乃至４１−Ｋ（図においてはＫ＝２）からの受信信号はそれぞれ第１乃至第Ｋの復調器４３−１乃至４３−Ｋで復調されて、第１乃至第Ｋの復調信号としてそれぞれ第１乃至第Ｋの遅延タップ係数推定部４４−１乃至４４−Ｋと第１乃至第Ｋの受信等化器４５−１乃至４５−Ｋに与えられる。
【００３１】
第１乃至第Ｋの遅延タップ係数推定部４４−１乃至４４−Ｋは図１に示す遅延タップ係数推定部１３と同一の構成であり、第１乃至第Ｋの受信等化器４５−１乃至４５−Ｋは受信等化器１４と同一の構成を有しており、第１乃至第Ｋの遅延タップ係数推定部４４−１乃至４４−Ｋではそれぞれ第１乃至第Ｋの復調信号に応じて第１乃至第Ｋのタップ係数（それぞれベクトルである）を生成し（推定し）、これら第１乃至第Ｋのタップ係数を第１乃至第Ｋの受信等化器４５−１乃至４５−Ｋに与える。そして、第１乃至第Ｋの受信等化器４５−１乃至４５−Ｋでは第１乃至第Ｋのタップ係数に応じてそれぞれ第１乃至第Ｋの復調信号を等化処理して第１乃至第Ｋの受信等化信号として出力する。
【００３２】
アンテナ係数推定部（アンテナ係数推定手段）４６では第１乃至第Ｋの受信等化信号に応じてアンテナ係数（アンテナ素子毎の重み係数）重み係数Ｗを生成し、検波器（検波手段）４７は、例えば、アンテナ係数と第１乃至第Ｋの受信等化信号とを乗算し、その乗算出力を合成して（つまり、検波して）、検波出力信号として出力する。そして、この検波出力信号は時系列振幅位相補正器１５に与えられる。
【００３３】
アンテナ毎時系列遅延タップ係数推定部（送信重み係数生成手段）４８には第１乃至第Ｋの遅延タップ係数、アンテナ係数、及び前述の受信振幅位相時係数が与えられ、アンテナ毎時系列遅延タップ係数推定部４８では、受信振幅位相時係数を参照して受信と送信との時間差に応じて送信時における振幅位相時係数を線形予測して、送信振幅位相時係数を求める。そして、アンテナ毎時系列遅延タップ係数推定部４８は、遅延タップ係数、アンテナ係数、及び送信振幅位相時係数を内積して、アンテナ素子毎の送信時系列遅延タップ係数（アンテナ毎送信重み係数）を得る。
【００３４】
アンテナ素子毎の送信時系列遅延タップ係数は送信等化器４９に与えられて、送信等化器４９では、符号器１７からの符号化信号とアンテナ素子毎の送信時系列遅延タップ係数とに基づいて、送信等化器３２と同様の等化処理を行って、アンテナ素子４１−１乃至４１−Ｋに対応する第１乃至第Ｋの送信等化信号を得る。これら第１乃至第Ｋの送信等化信号はそれぞれ第１乃至第Ｋの変調器５０−１乃至５０−Ｋに送られて、ここで変調されてそれぞれ第１乃至第Ｋの送信信号としてアンテナ素子４２−１乃至４２−Ｋから送信される。つまり、送信アレーアンテナ４２から送信信号が送信される。
【００３５】
このようにして、アレーアンテナ（アダプティブアレーアンテナ）を用いるようにすれば、送受信の際における誤りをさらに低下させることができる。上述の受信等化器、検波器、及び送信等化器における処理は通信方式及びそのアルゴリズムに制限されることはなく、受信等化器、検波器、及び送信等化器における処理の順番にも制限はない。そして、中間周波数帯域又はベースバンド帯域のいずれの信号に対しても等化処理を行うことができる。また、時系列振幅位相補正器における振幅位相特性（受信等価信号の特性）の算出についても種々の手法を用いることができる。
【００３６】
さらに、受信信号にトレーニング信号が備えられていない場合においても、所謂ブライドアルゴリズムを用いて時系列振幅位相特性を求めるようにすればよく、ブライドアルゴリズムを用いる際には、時系列にかつ線形に振幅位相特性を推定するのではなく、非線形に振幅位相特性を推定することができる。
【産業上の利用可能性】
【００３７】
送信信号を送信する際、受信時の遅延タップ係数と振幅位相特性とに基づいて送信重み係数を生成してこの送信重み係数に応じて送信入力信号を等化処理するようにしているから、電波伝搬路を送信の際と受信の際とで常に等化とみなすことができる結果、各種無線通信装置に適用できる。
【図面の簡単な説明】
【００３８】
【図１】本発明の実施の形態による無線通信装置の一例を示すブロック図である。
【図２】図１に示す送信等化器の構成を示すブロック図である。
【図３】図１に示す時系列遅延タップ係数推定部の動作を説明するためのフローチャートである。
【図４】本発明の実施の形態による無線通信装置の他の例を示すブロック図である。
【図５】従来の無線通信装置を示すブロック図である。
【符号の説明】
【００３９】
１０，３０  無線通信装置
１０ａ  受信機部
１０ｂ  送信機部
１１  受信アンテナ
１２，４３−１〜４３−Ｋ  復調器
１３，４４−１〜４４−Ｋ  遅延タップ係数推定部
１４，４５−１〜４５−Ｋ  受信等化器
１５  時系列振幅位相補正器
１６  復号器
１７  符号器
１８，３２，４９  送信等化器
１９，５０−１〜５０−Ｋ  変調器
２０  送信アンテナ
３１  時系列遅延タップ係数推定部
３３−１〜３３−Ｎ  遅延素子
３４−０〜３４−Ｎ  乗算器
３５  加算器
４１−１〜４１−Ｋ，４２−１〜４２−Ｋ  アンテナ素子
４１  受信アレーアンテナ
４２  送信アレーアンテナ
４６  アンテナ係数推定部
４７  検波器
４８  アンテナ毎時系列遅延タップ係数推定部
【図１】
2007124412.tif 000003
【図２】
2007124412.tif 000004
【図３】
2007124412.tif 000005
【図４】
2007124412.tif 000006
【図５】
2007124412.tif 000007